【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
映像信号及び／又は音響信号から特徴量を抽出してベクトル化することにより特徴ベクトルを生成する特徴ベクトル生成手段と、
上記映像信号及び／又は上記音響信号と上記特徴ベクトル生成手段によって生成された上記特徴ベクトルとを記録する記録手段と、
上記記録手段に記録された上記特徴ベクトルの少なくとも一部を登録する登録手段と、
上記記録手段に記録されている上記特徴ベクトルから、上記登録手段によって登録された特徴ベクトルのうち少なくとも１つと略々一致する特徴ベクトルを検出する一致検出手段と、
当該検出された特徴ベクトルに基づいて、再生開始点を設定する再生点設定手段と、
上記再生点設定手段によって設定された再生開始点から上記映像信号及び／又は上記音響信号を再生する再生手段と
を備えることを特徴とする信号記録再生装置。
【請求項２】
上記特徴ベクトルは、上記映像信号の所定時間区間内における少なくとも１枚のフレームの平均画像の画素値をベクトル化したものの時系列、又は上記平均画像を所定のブロック単位の小画像に分割し、当該小画像の画素値をベクトル化したものの時系列であることを特徴とする請求項１記載の信号記録再生装置。
【請求項３】
上記特徴ベクトルは、上記音響信号の短時間パワースペクトラムをベクトル化したものの時系列であることを特徴とする請求項１記載の信号記録再生装置。
【請求項４】
上記登録手段は、上記記録手段に記録された上記映像信号及び／又は上記音響信号を再生する際に、ユーザが指定する信号位置に対応する上記特徴ベクトルを登録することを特徴とする請求項１記載の信号記録再生装置。
【請求項５】
上記登録手段は、上記記録手段に記録された上記映像信号及び／又は上記音響信号を再生する際に、ユーザが指定する信号位置から所定時間長前の信号位置に対応する上記特徴ベクトルを登録することを特徴とする請求項１記載の信号記録再生装置。
【請求項６】
上記一致検出手段は、上記記録手段に記録されている特徴ベクトルから、上記登録された特徴ベクトルの少なくとも１つとの相関値が所定の閾値を超える特徴ベクトルを検出することを特徴とする請求項１記載の信号記録再生装置。
【請求項７】
上記特徴ベクトルに対して階層的な変換を施し変換ベクトルを生成する階層的変換手段を備え、
上記記録手段は、上記映像信号及び／又は上記音響信号と上記階層的変換手段によって生成された上記変換ベクトルとを記録し、
上記登録手段は、上記記録手段に記録された上記変換ベクトルの少なくとも一部を登録すること
を特徴とする請求項１記載の信号記録再生装置。
【請求項８】
上記階層的変換手段は、上記特徴ベクトルに対して、当該特徴ベクトルの成分を隣接成分間の和成分と差成分に分割し、当該和成分をさらに隣接成分間の和成分と差成分に分割する処理を繰り返す階層的な変換を施して上記変換ベクトルを生成することを特徴とする請求項７記載の信号記録再生装置。
【請求項９】
上記一致検出手段は、登録された上記変換ベクトルの少なくとも１つと上記記録手段に記録された変換ベクトルとの間で階層的な相関演算を行い、上記記録手段に記録されている変換ベクトルから、登録された上記変換ベクトルの少なくとも１つとの相関値が所定の閾値を超える特徴ベクトルを検出することを特徴とする請求項８記載の信号記録再生装置。
【請求項１０】
上記一致検出手段は、上記変換ベクトルの上位階層の和成分同士から順次差成分を含むように成分数を増やして相関演算を行う階層的な相関演算を行い、当該階層的な相関演算の途中階層における相関値が上記閾値を下回った場合には、さらなる階層の相関演算を行わないことを特徴とする請求項９記載の信号記録再生装置。
【請求項１１】
映像信号及び／又は音響信号から特徴量を抽出してベクトル化することにより特徴ベクトルを生成する特徴ベクトル生成工程と、
上記映像信号及び／又は上記音響信号と上記特徴ベクトル生成工程にて生成された上記特徴ベクトルとを記録手段に記録する記録工程と、
上記記録手段に記録された上記特徴ベクトルの少なくとも一部を登録する登録工程と、
上記記録手段に記録されている上記特徴ベクトルから、上記登録工程にて登録された特徴ベクトルのうち少なくとも１つと略々一致する特徴ベクトルを検出する一致検出工程と、
当該検出された特徴ベクトルに基づいて、再生開始点を設定する再生点設定工程と、
上記再生点設定工程にて設定された再生開始点から上記映像信号及び／又は上記音響信号を再生する再生工程と
を有することを特徴とする信号記録再生方法。
【請求項１２】
所定の処理をコンピュータに実行させるプログラムであって、
映像信号及び／又は音響信号から特徴量を抽出してベクトル化することにより特徴ベクトルを生成する特徴ベクトル生成工程と、
上記映像信号及び／又は上記音響信号と上記特徴ベクトル生成工程にて生成された上記特徴ベクトルとを記録手段に記録する記録工程と、
上記記録手段に記録された上記特徴ベクトルの少なくとも一部を登録する登録工程と、
上記記録手段に記録されている上記特徴ベクトルから、上記登録工程にて登録された特徴ベクトルのうち少なくとも１つと略々一致する特徴ベクトルを検出する一致検出工程と、
当該検出された特徴ベクトルに基づいて、再生開始点を設定する再生点設定工程と、
上記再生点設定工程にて設定された再生開始点から上記映像信号及び／又は上記音響信号を再生する再生工程と
を有することを特徴とするプログラム。
【請求項１３】
所定の処理をコンピュータに実行させるプログラムが記録された記録媒体であって、
映像信号及び／又は音響信号から特徴量を抽出してベクトル化することにより特徴ベクトルを生成する特徴ベクトル生成工程と、
上記映像信号及び／又は上記音響信号と上記特徴ベクトル生成工程にて生成された上記特徴ベクトルとを記録手段に記録する記録工程と、
上記記録手段に記録された上記特徴ベクトルの少なくとも一部を登録する登録工程と、
上記記録手段に記録されている上記特徴ベクトルから、上記登録工程にて登録された特徴ベクトルのうち少なくとも１つと略々一致する特徴ベクトルを検出する一致検出工程と、
当該検出された特徴ベクトルに基づいて、再生開始点を設定する再生点設定工程と、
上記再生点設定工程にて設定された再生開始点から上記映像信号及び／又は上記音響信号を再生する再生工程と
を有することを特徴とするプログラムが記録された記録媒体。
【請求項１４】
記録媒体に記録された映像信号及び／又は音響信号を再生する信号再生装置において、
上記映像信号及び／又は音響信号の再生開始位置を指定する指定手段と、
上記指定手段によって指定された位置より時間的に前の位置を再生開始点として設定する再生点設定手段と、
上記再生点設定手段によって設定された再生開始点から上記映像信号及び／又は上記音響信号の再生を開始する再生手段と
を備えることを特徴とする信号再生装置。
【請求項１５】
上記映像信号内及び／又は上記音響信号内におけるコマーシャルメッセージを検出するコマーシャルメッセージ検出手段を備え、
上記再生点設定手段は、上記指定手段によって指定された位置より時間的に前のコマーシャルメッセージの終了位置を再生開始点として設定すること
を特徴とする請求項１４記載の信号再生装置。
【請求項１６】
上記映像信号及び／又は上記音響信号が上記記録媒体に記録された時刻を検出する時刻検出手段を備え、
上記再生点設定手段は、上記指定手段によって指定された位置より時間的に前の所定の時刻を再生開始点として設定すること
を特徴とする請求項１４記載の信号再生装置。
【請求項１７】
上記所定の時刻は、上記指定手段によって指定された位置を含む番組の開始時刻であることを特徴とする請求項１６記載の信号再生装置。
【請求項１８】
上記所定の時刻は、毎時０分、毎時１５分、又は毎時３０分であることを特徴とする請求項１６記載の信号再生装置。
【請求項１９】
記録媒体に記録された映像信号及び／又は音響信号を再生する信号再生方法において、
上記映像信号及び／又は音響信号の再生開始位置を指定する指定工程と、
上記指定工程にて指定された位置より時間的に前の位置を再生開始点として設定する再生点設定工程と、
上記再生点設定工程にて設定された再生開始点から上記映像信号及び／又は上記音響信号の再生を開始する再生工程と
を有することを特徴とする信号再生方法。
【手続補正２】
【補正対象書類名】明細書
【補正対象項目名】００１３
【補正方法】削除
【補正の内容】
【手続補正３】
【補正対象書類名】明細書
【補正対象項目名】００１５
【補正方法】変更
【補正の内容】
【００１５】
また、本発明に係るプログラムは、上述した信号記録再生処理をコンピュータに実行させるものであり、本発明に係る記録媒体は、そのようなプログラムが記録されたコンピュータ読み取り可能なものである。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】０１３９
【補正方法】削除
【補正の内容】
【手続補正７】
【補正対象書類名】明細書
【補正対象項目名】０１４２
【補正方法】変更
【補正の内容】
【０１４２】
また、本発明に係るプログラムは、上述した信号記録再生処理をコンピュータに実行させるものであり、本発明に係る記録媒体は、そのようなプログラムが記録されたコンピュータ読み取り可能なものである。
【手続補正８】
【補正対象書類名】明細書
【補正対象項目名】０１５０
【補正方法】削除
【補正の内容】
【手続補正９】
【補正対象書類名】明細書
【補正対象項目名】０１５１
【補正方法】削除
【補正の内容】